(57)【要約】【課題】照明のために空間を特性評価するための照明システム及び方法を提供する。【解決手段】本明細書には、変調パターンによってエンコードされた光を放射するＬＥＤ光源のアレイと、センサのアレイと、空間特性評価ユニットと、を含む照明システムが開示されている。センサのアレイは、物体によって散乱した放射光を受光する。各センサは、変調パターンを使用して、対応する光源と物体との間の距離を求める。空間特性評価ユニットは、各センサからの距離を使用して、物体の存在を示す高度マップを生成する。【選択図】図１
2018018829.tif 000002
【特許請求の範囲】
【請求項１】
照明システムであって、
照明のために空間内に配置された発光ダイオード（ＬＥＤ）光源のアレイであって、各光源が、所定の変調パターンでエンコードされた光を前記空間内に放射するように構成され、前記ＬＥＤ光源のアレイから放射された光が、前記空間内の少なくとも一つの物体によって散乱される、ＬＥＤ光源のアレイと、
前記ＬＥＤ光源のアレイに近接し、かつ前記空間内の前記少なくとも一つの物体から散乱された光を受光するように構成されたセンサのアレイであって、各センサが、受光した散乱光中の前記所定の変調パターンの検出に基づいて、対応する光源と前記少なくとも一つの物体との間の距離を求めるように構成された、センサのアレイと、
各センサから前記距離を受信し、かつ前記空間の高度マップを生成するように構成された空間特性評価ユニットであって、前記高度マップが、前記空間内の前記少なくとも一つの物体の存在を示す、空間特性評価ユニットと、
を有し、
各光源は、異なる波長の前記光を放射するように構成された複数の光源を含み、前記センサのうちの少なくとも一つは、前記異なる波長のそれぞれについての前記距離を求めるように構成され、前記高度マップは、前記異なる波長と関連するカラーマップを含む、
照明システム。
【請求項２】
各光源は、スポットライト、フラッドライト、又はパネルライトのうちの少なくとも一つを含む、請求項１に記載の照明システム。
【請求項３】
各光源は、単色光源を含む、請求項１に記載の照明システム。
【請求項４】
前記空間特性評価ユニットは、前記高度マップに基づいて、前記少なくとも一つの物体の少なくとも一つの特性を検出して、前記照明システムによる照明を制御するように構成されている、請求項１に記載の照明システム。
【請求項５】
前記空間特性評価ユニットは、前記高度マップに基づいて、前記少なくとも一つの物体の場所、前記少なくとも一つの物体のポーズ、又は前記少なくとも一つの物体の動作のうちの少なくとも一つを求めるように構成されている、請求項１に記載の照明システム。
【請求項６】
前記空間特性評価ユニットは、前記高度マップに基づいて、前記少なくとも一つの物体が有生物又は無生物のいずれであるかを求めるように構成されている、請求項１に記載の照明システム。
【請求項７】
各センサは、前記検出された所定の変調パターンに基づいて、前記センサによって受光される前記放射光の飛行時間を求めるように構成され、前記距離は、前記飛行時間から求められる、請求項１に記載の照明システム。
【請求項８】
各光源は、前記所定の変調パターンで独立して変調されるように構成されている、請求項１に記載の照明システム。
【請求項９】
複数の前記光源は、前記所定の変調パターンで同期して変調されるように構成されている、請求項１に記載の照明システム。
【請求項１０】
照明のために空間を特性評価するための方法であって、
照明のために前記空間内に配置された発光ダイオード（ＬＥＤ）光源のアレイによって光を放射し、放射された光が少なくとも一つの所定の変調パターンでエンコードされ、かつ前記空間内の少なくとも一つの物体によって散乱され、
前記ＬＥＤ光源のアレイに近接するセンサのアレイによって、前記空間内の前記少なくとも一つの物体から散乱された光を受光し、
各センサによって、受光した散乱光中の前記少なくとも一つの所定の変調パターンの検出に基づいて、前記対応する光源と前記少なくとも一つの物体との間の距離を測定し、
各センサによって測定された前記距離に基づいて、前記空間内の前記少なくとも一つの物体の存在を示す前記空間の高度マップを生成し、前記照明のための空間が前記高度マップに基づいて特性評価される、
ことを有し、
各光源は、異なる波長の前記光を放射するように構成された複数の光源を含み、前記センサのうちの少なくとも一つは、前記異なる波長のそれぞれについての前記距離を求めるように構成され、前記高度マップは、前記異なる波長と関連するカラーマップを含む、
方法。
【請求項１１】
前記高度マップに基づいて、前記少なくとも一つの物体の少なくとも一つの特性を検出して、前記ＬＥＤ光源のアレイによる照明を制御する、
ことを更に有する、請求項１０に記載の方法。
【請求項１２】
前記高度マップに基づいて、前記少なくとも一つの物体の場所、前記少なくとも一つの物体のポーズ、又は前記少なくとも一つの物体の動作のうちの少なくとも一つを求める、
ことを更に有する、請求項１０に記載の方法。
【請求項１３】
前記高度マップに基づいて、前記少なくとも一つの物体が有生物又は無生物のいずれであるかを求める、
ことを更に有する、請求項１０に記載の方法。
【請求項１４】
前記距離の測定は、前記検出された少なくとも一つの所定の変調パターンに基づいて、前記個々のセンサによって受光される放射光の飛行時間を求め、前記飛行時間から前記距離を求める、
ことを含む、請求項１０に記載の方法。
【発明の詳細な説明】
【技術分野】
【０００１】
本発明は、照明のために空間を特性評価するための照明システム及び方法に関する。
【背景技術】
【０００２】
照明は、現在、全電気エネルギーの約１９％を消費し、多くの商業空間は、一般的なオフィスビルの電気エネルギー消費量の最大で４０％を消費し得る。照明システムによって消費される電気エネルギーは、高度照明制御システムの使用によって、３５％以上低減することができるが、これらのシステムは、短期的な変化（個人的な照明ニーズ）と長期的な変化（インテリアの再設計）との両方に適切に適合するために、頻繁な較正が必要となるため、めったに使用されない。生成された光によって照明される空間又は物体を光源から見えないことがあるので、赤外線運動センサ及び超音波センサに基づく現在の照明制御は、照明制御においてあまり役に立たない可能性があり、また、照明システムそれ自体が死角となる可能性もある。現在のいくつかのやり方は、カメラシステムを使用して、照明されるべきものと時期との検知力を照明システムに提供することができる。しかしながら、カメラシステムと関連したプライバシに対する懸念が生じる可能性がある。また、適応照明制御のための現在のやり方は、大量のビデオ情報の処理によって、不必要な複雑さを引き起こす可能性がある。
【発明の概要】
【課題を解決するための手段】
【０００３】
本発明の一観点によれば、照明のために空間を特性評価するための照明システム及び方法が提供される。照明システムは、照明のために空間内に配置された発光ダイオード（Light Emitting Diode：ＬＥＤ）光源のアレイと、ＬＥＤ光源のアレイに近接するセンサのアレイと、空間特性評価ユニットとを含む。各光源は、所定の変調パターンでエンコードされた光を空間内に放射するように構成されている。複数のＬＥＤ光源からの放射光は、空間内の少なくとも一つの物体によって散乱される。センサのアレイは、空間内の少なくとも一つの物体から散乱された光を受光するように構成されている。各センサは、受光した散乱光中の所定の変調パターンの検出に基づいて、対応する光源と少なくとも一つの物体との間の距離を測定するように構成されている。空間特性評価ユニットは、各センサから距離を受信し、かつ空間の高度マップを生成するように構成されている。高度マップは、空間内の少なくとも一つの物体の存在を示す。
【図面の簡単な説明】
【０００４】
【図１】照明空間を特性評価するための例示的な照明システムの機能ブロック図を示す。
【図２】空間内における物体までの距離の測定を図示する照明空間内の例示的な照明システムの斜視図を示す。
【図３】照明空間を特性評価する例示的な方法を示すフローチャートである。
【図４】高度マップに基づいて照明空間を特性評価するための例示的な方法を示すフローチャートである。
【図５Ａ】オフィス環境の画像例である。
【図５Ｂ】本発明の一実施形態に係る、図５Ａに示されるオフィス環境の飛行時間（ＴｏＦ）画像例である。
【図６】本発明の一実施形態に係る、図５Ｂに示されるＴｏＦ画像から求められた高度マップ例である。
【図７Ａ】本発明の一実施形態に係る、様々な複数の人間の環境について、検出物体を含む高度マップ例である。
【図７Ｂ】本発明の一実施形態に係る、様々な複数の人間の環境について、検出物体を含む高度マップ例である。
【図７Ｃ】本発明の一実施形態に係る、様々な複数の人間の環境について、検出物体を含む高度マップ例である。
【図７Ｄ】本発明の一実施形態に係る、様々な複数の人間の環境について、検出物体を含む高度マップ例である。
【図７Ｅ】本発明の一実施形態に係る、様々な複数の人間の環境について、検出物体を含む高度マップ例である。
【図８Ａ】本発明の一実施形態に係る、様々なセンサ間隔の図７Ｃに示される高度マップについて、検出物体を含む高度マップ例である。
【図８Ｂ】本発明の一実施形態に係る、様々なセンサ間隔の図７Ｃに示される高度マップについて、検出物体を含む高度マップ例である。
【図８Ｃ】本発明の一実施形態に係る、様々なセンサ間隔の図７Ｃに示される高度マップについて、検出物体を含む高度マップ例である。
【図８Ｄ】本発明の一実施形態に係る、様々なセンサ間隔の図７Ｃに示される高度マップについて、検出物体を含む高度マップ例である。
【図９Ａ】本発明の一実施形態に係る、実際のオフィス環境の高度マップについて、センサ間隔の関数としての誤り率及び平均誤差のグラフ例である。
【図９Ｂ】本発明の一実施形態に係る、実際のオフィス環境の高度マップについて、センサ間隔の関数としての誤り率及び平均誤差のグラフ例である。
【図１０Ａ】本発明の一実施形態に係る、シミュレートされたオフィス環境の高度マップについて、センサ間隔の関数としての誤り率及び平均誤差のグラフ例である。
【図１０Ｂ】本発明の一実施形態に係る、シミュレートされたオフィス環境の高度マップについて、センサ間隔の関数としての誤り率及び平均誤差のグラフ例である。
【発明を実施するための形態】
【０００５】
［関連出願に対する相互参照］
本出願は、２０１２年４月２０日付けで出願されたSENSORY LIGHTING SYSTEMと称される米国仮特許出願第６１／６８７，２３９号に関連し、且つ、この利益を主張するものであり、この特許文献の内容は、引用によって本明細書に援用される。
【０００６】
［連邦政府による資金提供を受けた研究開発の記載］
本発明は、全米科学財団からの助成（助成番号：第ＥＥＣ−０８１２０５６号）によって部分的に、且つ、ＮＹＳＴＡＲからの助成（助成番号：第Ｃ０９０１４５号）によって部分的に、資金援助されたものである。米国政府は、本発明に対する特定の権利を有している。
【０００７】
照明空間を特性評価するための方法と、ＬＥＤ光源のアレイを含む照明システムとについて説明する。
【０００８】
本発明の態様は、照明のために空間を特性評価するための例示的な方法と、例示的な照明システムとを含んでいる。照明システムは、所与の容積の空間を照明することに加えて、時間変調データ信号（即ち、所定の変調パターン）で照明をエンコードする光源のアレイを含み、また、照明システム全体に亘って広く分離して分布した低画素数の光センサ網を包含している。照明システムは、屋内照明又は屋外照明のために使用されればよい。センサは、所与の光源からの（時間変調データ信号を含む）放射と、データ信号を含む光の一部の戻りとの間の時間を測定すればよい。光の戻り部分は、光源のアレイによって照明されている空間内の物体の一又は複数の表面から散乱されたものであればよい。この測定処理は、一般的に飛行時間（Time-of-Flight：ＴｏＦ）と呼ばれ、照明システムは、この測定処理を使用して、照明空間内の有生物及び無生物の高度マップを生成することができる。照明システムは、高度マップに基づいて、照明空間の特性を特定することができる。特性は、例えば、照明空間のプロファイルの変化を監視及び検出するために、使用されればよい。特性は、例えば、（例えばエネルギー節約等のための）照明制御、占有者の監視、安全機能、及びセキュリティ機能のために、使用されてもよい。
【０００９】
図１を参照すれば、例示的な照明システム１００の機能ブロック図が示されている。照明システム１００は、ＬＥＤ光源のアレイ１０１（本明細書ではアレイ１０１と呼ばれる）と、センサのアレイ１０２（本明細書ではセンサアレイ１０２と呼ばれる）と、空間特性評価ユニット１０３と、照明コントローラ１０４と、ストレージ１０５とを含めばよい。照明システム１００は、任意のユーザインタフェイス１０６及び任意のディスプレイ１０７のうちの一又は複数を含んでもよい。アレイ１０１、センサアレイ１０２、空間特性評価ユニット１０３、照明コントローラ１０４、ストレージ１０５、任意選択のユーザインタフェイス１０６、及び／又は任意のディスプレイ１０７は、データバス及び制御バス（図示せず）を介して接続されればよい。
【００１０】
アレイ１０１は、空間内に配置された複数のＬＥＤ光源１１４（図２）を含み、空間（本明細書では照明空間とも呼ばれる）を照明する。例えば、図２は、照明空間１２０を均一に照明するべく、照明空間１２０の天井に近接して二次元アレイとして均一に配置された光源１１４を図示している。図２においては、光源１１４が均一な二次元アレイ状に配置されるように図示されているが、光源１１４は、不均一なアレイ状に配置されてもよく、また、アレイは、一次元のアレイ又は三次元のアレイであってもよいことを理解されたい。光源１１４の配置は、照明空間の物理的特性と、所望の照明特性とによることが理解されよう。一般には、照明空間を照明するべく、光源１１４を任意の適切な間隔で分離することができる。光源１１４は、例えば、約６０ｃｍと約２ｍとの間で、限定されることなく、離隔されればよい。
【００１１】
光源１１４は、少なくとも一つの所望の波長の光を放射可能な任意の適切なダイオードを含んでもよい。光源１１４は、本明細書において、発光ダイオードに関して記載されているが、光源１１４は、半導体レーザーダイオードを含んでもよい。一実施形態によれば、光源１１４からの放射光の波長は、照明空間を特性評価するべく、対応するセンサ１０８によって直接的に使用されればよい。別の実施形態によれば、少なくとも一つの光源１１４が有する波長の一部は、例えば、蛍光体変換を使用して、少なくとも一つの他の波長に変換されてもよい。蛍光体によって放射される一又は複数の波長は、対応するセンサ１０８によって使用されればよい。
【００１２】
光源１１４は、公称上均一に空間を照明するように設計されたスポット光源又はフラッド光源を含めばよい。例示的な一実施形態において、各光源１１４は、比較的狭い視野（即ち、光が集光される立体角）を持つ単一の下向きのカラーセンサ１０８又は距離センサ１０８とペア化されて、光源１１４によって照明された物体からの（例えば、図２の人間１２１及び無生物１２２等からの）散乱光を集光すればよい。
【００１３】
別の例示的な実施形態によれば、光源１１４は、ＬＥＤを基礎にした照明灯を含んでもよい。本明細書で使用される照明灯は、蛍光灯器具の光学性能を模倣する任意のＬＥＤ器具設計である。スポット光源又はフラッド光源のアレイと同様に、照明灯は、下向きの高速センサ１０８を包含又は近接すればよい。
【００１４】
アレイ１０１内の光源１１４は、照明コントローラ１０４を介して所定の変調パターンによって変調されるように構成されればよい。また、アレイ１０１内の個々の光源１１４の動作（例えばオン／オフ動作や光強度動作等）は、照明コントローラ１０４によって制御されればよい。このように、アレイ１０１は、照明空間を照明するために光を放射し、且つ放射光を変調することができる。例えば、所定の変調パターンは、直交グレーコードを使用して生成されたオン及びオフパターン（又は他の任意の適切な直交パターン）の時間系列を含めばよい。別の例としては、出力光束（光の強度）を所望の周波数で二段階に切り替えてもよい。更なる例としては、出力光束を所定の周波数のスケーリングされたコサイン信号によって変調し、正弦波パターンを生成してもよい。一般には、経時的な平均光束によって照度を提供することができる。変調周波数によって、明確に測定可能な距離の範囲を決定することができる。放射パターンと、センサ１０８によって収集される散乱（反射）パターンとの間の往復に起因する位相シフトによって、距離の測定基準を提供することができる。
【００１５】
例示的な一実施形態によれば、各光源１１４は、（個々の光源１１４に関連するセンサ１０８が、対応する所定の変調パターンを検出するように）異なる所定の変調パターンによって変調されればよい。別の例示的な実施形態によれば、複数の光源１１４は、同一の所定の変調パターンによって変調されてもよい。例えば、（部屋の向側等に）互いに十分に離れている光源１１４は、同一のパターンによって変調されればよい。
【００１６】
例示的な一実施形態によれば、光源１１４は、可視スペクトル内の波長を放射する単色のＬＥＤ光源を含んでもよく、この場合、波長は、限定されることなく、約４００ｎｍと約８００ｎｍとの間である。別の実施形態によれば、光源１１４は、紫外線（UltraViolet：ＵＶ）ＬＥＤ光源又は赤外線（Infrared：ＩＲ）光源のうちの少なくとも一つを含んでもよい。従って、光源１１４は、限定されることなく、約２２０ｎｍと約１６００ｎｍとの間の波長を有すればよい。
【００１７】
別の例示的な実施形態によれば、光源１１４は、多色光源（即ち、多色の光源）を含んでもよい。例えば、典型的には、三つの波長を使用して白色光を生成する。波長は、約４７０ｎｍ（即ち、青）と、約５２５ｎｍ（即ち、緑）と、約６２０ｎｍ（即ち、赤）とを含んでもよく、最大で約±２０ｎｍの偏差を持つ。より完全なスペクトル照射のために、約５８５ｎｍ（即ち、黄）、約４２０ｎｍ（即ち、深青）、約６５０ｎｍ（即ち、深赤）、約５００ｎｍ（即ち、シアン）、及び／又は約５５０ｎｍ（即ち、深緑）を、限定されることなく含む追加の波長が加えられてもよい。
【００１８】
例えば、多色光源は、異なる波長を有する複数の単色ＬＥＤを含んでもよい。光源内の個々の色は、照明コントローラ１０４を介して独立して変調されればよい。この実施形態においては、（それぞれ単色光源のうちの一又は複数の光源の変調信号を追跡可能な）一又は複数のセンサ１０８を使用して、照明空間の粗い３Ｄ地形カラーマップを生成すればよい。カラーマッピングによって提供される追加情報は、光を散乱させてセンサ１０８に戻す物体のスペクトル反射率の差を補償することによって、（センサアレイ１０２による）ＴｏＦ距離マッピング機能の分解能を改善することができる。従って、（センサアレイ１０２による）検知のために個々の波長を変調することによって、照明システム１００は、色による改善された空間分解能を提供することになる。
【００１９】
センサアレイ１０２は、アレイ１０１の光源１１４（図２）に対応した複数のセンサ１０８を含んでもよい。センサ１０８は、光源１１４の一部として形成されてもよく、また、光源１１４に近接して配置されてもよい。
【００２０】
例示的な一実施形態によれば、アレイ１０１内の各光源１１４は、対応するセンサ１０８とペア化されればよい。別の実施形態によれば、光源１１４の一部は、（図２に示されるように）対応するセンサ１０８とペア化される一方で、アレイ１０１内の他の光源１１４は、変調されなくてもよい。更に別の実施形態によれば、複数の光源１１４が、対応する一のセンサ１０８とペア化されてもよい。例えば、更に後述されるように、同一の所定の変調パターンを有する二つの光源１１４が、センサ１０８とペア化されればよい。
【００２１】
センサアレイ１０２内のセンサ１０８の間隔は、（更に後述する）高度マップの所望の解像度に応じて選択されてもよいことが理解されよう。例えば、センサの間隔は、空間内の物体の存在を示し得るが空間内の物体に関する詳細（例えば人間の特定等）を含み得ない低減された解像度のマップを提供するように、選択されてもよい。低減された解像度は、高度マップによってキャプチャされる個人のプライバシを保護するために好ましい可能性がある。例示的な一実施形態において、センサの間隔は、約１０ｃｍと約６０ｃｍとの間を、限定されることなく、含んでいる。例示的な一実施形態によれば、センサの間隔の最適な範囲は、動作のための最小解像度（即ち、空間内の物体の存在を示す能力）に対するプライバシの検討に基づいて、決定されればよい。
【００２２】
検出器１０８は、ＴｏＦ検出器１０９と、距離計算器１１０とを含めばよい。ＴｏＦ検出器１０９は、放射光が対応する光源１１４から物体（例えば図２における人間１２１等）まで移動してセンサ１０８に戻るまでにかかる時間を測定すればよい。例えば、図２は、空間１２０内のセンサ１０８と物体（例えば人間１２１及び無生物１２２等）との間のＴｏＦ光線１１５を図示している。ＴｏＦ光線の持続時間は、空間１２０内の光源１１４と物体との間の距離に関係している。図２において、センサ１０８は、実質的に光源１１４と同一の場所にあると仮定されている。ＴｏＦは、光源１１４とセンサ１０８との場所の間の差を調節することができることを理解されたい。
【００２３】
例示的な一実施形態によれば、ＴｏＦ検出器１０９は、ＴｏＦを測定すべく、低画素数（例えば、約３×３画素〜約２００×２００画素）の画像センサを含めばよい。例えば、ＴｏＦ検出器１０９は、所定の変調パターンの角度及び／又は時間の特徴（例えばパターンの位相シフト等）を分解して、ＴｏＦを求めればよい。
【００２４】
距離計算器１１０は、ＴｏＦ検出器１０９からＴｏＦ測定値を受信して、光源１１４から物体（例えば人間１２１等）までの距離を測定すればよい。距離は、例えば、放射光の往復によって求められてもよい。
【００２５】
所定の変調パターンは、照明空間の特性評価のために、アレイ１０１によって定期的に、連続的に、又は任意の期間に亘って放射されればよい。センサアレイ１０２は、必要に応じて、ＴｏＦ測定値を所定の変調パターンの放射に同期させるように、照明コントローラ１０４によって制御されてもよい。別の実施形態によれば、センサアレイ１０２とアレイ１０１とは（照明コントローラ１０４を介して）、クロック生成器（図示せず）からのクロック信号によって同期化されてもよい。
【００２６】
空間特性評価ユニット１０３は、距離情報をセンサアレイ１０２の各センサ１０８から受信して、照明空間を示す特性評価出力を生成すればよい。特性評価出力を使用して、照明コントローラ１０４を介してアレイ１０１による照明を制御してもよい。また、特性評価出力は、任意のディスプレイ１０７上で示されてもよく、また、例えば、グローバルネットワーク（即ち、インターネット）を介して遠隔地に送信されてもよい。また、空間特性評価ユニットは、特性評価をセンサアレイ１０２から離れた場所で行えるように、センサアレイ１０２に遠隔接続されてもよいことを理解されたい。
【００２７】
空間特性評価ユニット１０３は、高度マップ生成器１１１と、物体検出器１１２と、空間プロファイル生成器１１３とを含めばよい。高度マップ生成器１１１は、距離情報をセンサアレイ１０２から受信して、照明空間の高度マップを生成すればよい。高度マップは、照明空間内の一又は複数の物体の存在を示せばよい。高度マップ生成器１１１については、図３及び図４と関連して更に後述する。
【００２８】
物体検出器１１２は、高度マップ生成器１１１から高度マップを受信して、高度マップが一又は複数の物体を含んでいるか否かを求めればよい。また、物体検出器１１２は、物体の場所、物体が有生物又は無生物のいずれであるか、物体の動作、又は物体のポーズ（例えば直立又は着座等）のうちの少なくとも一つを求めてもよい。物体検出器１１２については、図４と関連して更に後述する。
【００２９】
空間プロファイル生成器１１３は、物体検出器１１２から物体情報を受信して、照明空間のプロファイルを更新すればよい。例えば、照明空間内の新しい人間の検出又は部屋内の有生物の非検出に起因して、プロファイルが更新されればよい。加えて、プロファイルの変化は、例えば任意のディスプレイ１０７等への特性評価の出力を引き起こしてもよい。例えば、以前は占有されていなかった照明空間内で人間が検出された場合には、（例えばセキュリティの目的のため等に）警報を任意のディスプレイ１０７に供給してもよい。
【００３０】
空間特性評価ユニット１０３は、アレイ１０１と、センサアレイ１０２と、照明コントローラ１０４と、任意のユーザインタフェイス１０６と、任意のディスプレイ１０７とのうちの一又は複数の動作を制御するように構成されればよい。あるいは、別個のコントローラ（図示されてはいない）を使用して、照明システム１００の構成要素の動作を制御してもよい。空間特性評価ユニット１０３は、例えば、論理回路、デジタル信号プロセッサ、マイクロコントローラ、又はマイクロプロセッサを含んでもよい。
【００３１】
照明システム１００は、ストレージ１０５を含んでもよい。ストレージ１０５は、アレイ１０１、センサアレイ１０２、空間特性評価ユニット１０３、照明コントローラ１０４、任意のユーザインタフェイス１０６、及び／又は任意のディスプレイ１０７のための一又は複数の値を保存すればよい。例えば、ストレージ１０５は、照明コントローラ１０４のための所定の変調パターン、センサアレイ１０２によって測定された距離、高度マップ、検出物体情報、及び／又はプロファイル情報を保存すればよい。ストレージ１０５は、例えば、ランダムアクセスメモリ（Random Access Memory：ＲＡＭ）、磁気ディスク、光ディスク、フラッシュメモリ、又はハードドライブを含めばよい。
【００３２】
照明システム１００は、照明装置１００を動作させるために、ポインティング装置、キーボード、及び／又は表示装置等の任意のユーザインタフェイス１０６を含めばよい。任意のディスプレイ１０７は、高度マップ、検出物体、プロファイル情報、又は特性評価情報のうちの少なくとも一つを提示可能な任意の適切な表示装置を含めばよい。任意のユーザインタフェイス１０６と任意のディスプレイ１０７とは、別個の装置として図示されているが、任意のユーザインタフェイス１０６と任意のディスプレイ１０７との機能は、一の装置内に兼ね備えられてもよいことを理解されたい。
【００３３】
アレイ１０１と、センサアレイ１０２と、空間特性評価ユニット１０３と、照明コントローラ１０４と、ストレージ１０５と、任意のユーザインタフェイス１０６と、任意のディスプレイ１０７とのうちの一又は複数の構成要素は、ハードウェア、ソフトウェア、又はハードウェアとソフトウェアとの組合せによって実現されてもよいことを理解されたい。
【００３４】
図１及び図２を参照すると、動作中、光源１１４は、所定の変調パターンによって放射光を変調してもよく、ペアセンサ１０８は、（ＴｏＦ光線１１５によって示される）透過光が光源１１４からセンサ１０８に戻るまでの時間を測定すればよい。センサ１０８の距離計算器１１０は、ＴｏＦ測定値に基づいて、光源によって放射された光子による横断距離を計算すればよい。この距離情報は、光源１１４とセンサ１０８との組合せの全てから空間特性評価ユニット１０３に送信されればよく、（例えば、高度マップ生成器１１１等によって）照明空間の低解像度高度マップが生成されればよい。
【００３５】
照明システム１００は、高度マップを介して、家具、構造物、及び有生物の場所を識別すればよい。また、高度マップを使用して、エネルギー消費量を最小化しつつ、空間を適切に照明すればよい。照明システム１００は、潜在的なセキュリティ上の問題（走行）又は安全上の問題（落下）に関連する動作を含む移動物体の位置の急速な変化を検出すればよい。また、照明システム１００を使用して、照明空間内の移動物体の定期的な運動（複数可）を追跡してもよい。
【００３６】
例示的な一実施形態において、照明コントローラ１０４は、センサアレイ１０２の測定値が、公称上関連する光源１１４の直下に各センサ１０８に散乱されて戻る光の遅延によることになるように、アレイ１０１の変調を調節してもよい。この例においては、照明空間内の他の光源１１４からセンサ１０８に散乱される光に起因する測定誤差を低減するために、選択データ構造を使用し得ることを除いて、照明を変調するために使用される特定の構造（即ち、パターン）とは無関係に、距離の測定を実行すればよい。
【００３７】
例示的な一実施形態によれば、各光源１１４は、独立して変調されてもよい。各光源１１４は、特定のペアセンサ１０８と組み合わせられて、光源１１４と、反射光を直接ペアセンサ１０８に戻す物体の表面との間の距離を測定してもよい。照明空間内の各センサ１０８からの情報は、照明空間の高度マップを生成するために、空間特性評価ユニット１０３によって組み合わされてもよい。
【００３８】
別の実施形態によれば、調節変調は、（超音波又はレーダ撮像における位相配列技術と同様に）光源間で使用されてもよい。例えば、センサアレイ１０２は、空間を照明する任意の光源１１４と、所与のセンサ１０８に光を反射する散乱表面との間の距離を測定すればよい。この例においては、位相配列飛行時間検出を使用して、照明空間の地形マップの空間分解能を改善することができる。空間分解能の向上は、（所与の空間内の光源の位置に比べて）局在し得る照明構造の占有測定及び分解能の改善をもたらすことができる。占有測定の改善によって、空間の最適な照明と、必要に応じて、可視光自体を使用したデータ通信とが可能になる。
【００３９】
上述の例において、アレイ１０１は、照明目的のために正確な強度及び色で出現するが、対応するセンサアレイ１０２による個別の光源１１４からの戻り光の検出が可能となるように、協調的に十分高いスイッチング周波数で動作されればよい。各アレイ化光源１１４からの強度及び／又は色信号を位相整合することによって、アレイ化センサ１０８は、信号がいずれの光源から来たかを一意に推定することができ、且つ、照明空間内の有生物及び無生物の距離及び場所をより正確に推定することができる。色の個別の位相整合が含まれている場合には、局所的な色分布を推定してもよい。これによって、照明システム１００の信号対ノイズ比（ＳＮＲ）を改善することができる。公称上静的色を有する無生物の場合には、検知によって、移動体から背景を区別することができ、また、何時（照明空間の設計変更のような）変化が発生したかを検知することもできる。
【００４０】
例示的な一実施形態において、照明システム１００の距離分解能は、約５０ｃｍ〜約３ｍの間であればよい。距離分解能のために、好ましくは、（一又は複数の物体によって散乱された戻り光の）正確な時間測定値を生成する。一般に、時間分解能は、照明すべき空間の容積によるが、１０-10ｓ以下のオーダーの時間分解能を有する大部分の屋内空間で、大抵約１０-8ｓ未満である。
【００４１】
次に図３を参照すると、照明のために空間を特性評価するための例示的な方法のフローチャートが示されている。ステップ１２５では、所定の変調パターンによってエンコードされた光が、光源のアレイから放射される。例えば、照明コントローラ１０４（図１）を使用して、アレイ１０１からの放射光を変調してもよい。
【００４２】
ステップ１２６では、照明空間内の物体（複数可）から散乱された放射光が、センサアレイ１０２（図１）によって受光される。ステップ１２７では、各センサ１０８（図１）が、所定の変調パターンに基づいて、関連する光源１１４（図２）と物体（例えば人間１２１等）との間の距離を求めればよい。例えば、ＴｏＦ検出器１０９（図１）は、パターンに基づいて飛行時間を求め、距離計算器１１０は、飛行時間から距離を求めればよい。
【００４３】
ステップ１２８では、例えば、空間特性評価ユニット１０３の高度マップ生成器１１１が、各センサ１０８（図１）によって求められた距離に基づいて、照明空間の高度マップを生成する。ステップ１２９では、例えば、空間特性評価ユニット１０３の物体検出器１１２（図１）と空間プロファイル生成器１１３とが、高度マップに基づいて、照明空間を特性評価する。
【００４４】
次に、図４を参照すれば、高度マップ（図３のステップ１２９）に基づいて、照明のために空間を特性評価するための例示的な方法のフローチャートが示されている。図４に示されるステップは、図１に示される物体検出器１１２によって実行されてもよい。
【００４５】
ステップ１３０では、推定物体（複数可）の場所（複数可）が、高度マップ内で抽出される。任意のステップ１３１では、推定物体（複数可）の高さ（複数可）が、高度マップ内で抽出される。例えば、抽出された高さ（複数可）を使用して、照明空間内の人間のポーズ（例えば直立又は着座等）を求めればよい。
【００４６】
任意のステップ１３２では、空間の領域内の二以上の物体が、明確化されればよい。例えば、高度マップの解像度が粗すぎて、個々の（例えば人間及び机等）物体を区別できない場合には、二つの物体を分離するために高度マップを更に処理することが好ましいであろう。明確化処理の一例については、更に後述する。
【００４７】
ステップ１３３では、推定物体（複数可）を既知物体（複数可）と比較して、推定物体（複数可）が、（動かないものであっても動くものであってもよい）新規物体又は既知物体（複数可）のいずれであるのかを決定すればよい。ステップ１３４では、推定物体（複数可）と既知物体（複数可）が一致しているか否かが決定される。
【００４８】
ステップ１３４において、推定物体（複数可）と既知物体（複数可）が一致している場合、ステップ１３４は、ステップ１３５に進み、推定物体（複数可）を既知物体と特定する。ステップ１３５は、任意のステップ１３７に進む。
【００４９】
ステップ１３４において、推定物体（複数可）と既知物体（複数可）が一致していない場合、ステップ１３４は、ステップ１３６に進み、推定物体（複数可）を新規物体（複数可）と特定する。ステップ１３６は、任意のステップ１３７に進む。
【００５０】
任意のステップ１３７では、特定物体（複数可）の任意の動きが追跡される。例えば、以前に生成された評価マップ内の特定物体（複数可）の以前の位置（複数可）を現在の位置（複数可）と比較すればよい。任意のステップ１３８では、特定物体（複数可）のポーズが、例えば、抽出された高さ（複数可）に基づいて、求められればよい。ポーズ検出の一例については、更に後述する。任意のステップ１３９では、特定物体（複数可）が、有生物（例えば人等）又は無生物（例えば家具等）として更に特定されてもよい。任意のステップ１３７〜ステップ１３９は、図示のものとは異なる順序で実行されてもよいことを理解されたい。
【００５１】
［リアルタイムの人間追跡及びポーズ特定の例］
図１に示される例示的な照明システム１００と同様の照明システムを使用して、リアルタイムの人間追跡及びポーズ認識を調査するために、実験を行った。実験では、天井に取り付けられ、下向きの、スイスのチューリッヒのMesa Imaging社によって市販されるスイスレンジャー SR4000 ＴｏＦカメラを、図１に示される照明システム１００の代用品として使用した。カメラは、高周波（ＲＦ）変調（３０ＭＨｚ）近赤外光（８５０ｎｍ）を放射し、この近赤外光は、シーンによって後方散乱され、ＣＭＯＳ（Complementary Metal-Oxide-Semiconductor）電荷結合素子（Charge-Coupled Device：ＣＣＤ）によって受光される。
【００５２】
センサは、１７６１４４画素の解像度で、距離及び強度測定値を継続的に収集する。各画素の角度分解能は、画像の中心で０．３９であり、これは、（２．５ｍの天井を想定）地上で１．７平方ｃｍ、着座した人間の頭上で９平方ｍｍ、並びに、直立した人間の頭上で４．５平方ｍｍに対応している。ＴｏＦセンサは、投影の単一の中心から発散光線を放射するので、生のセンサ値に視野角の余弦を乗算することによって、各距離測定値を修正して、正投影を模倣する。後述する距離測定値は、この正投影に言及している。距離の測定値における絶対精度は、０．８ｍ〜５．０ｍの範囲内で約１０ｍｍである。実験では、６．３ｍｓ〜８．３ｍｓの積分時間が、それぞれ２３．４ｆｐｓ〜１９．４ｆｐｓのフレームレートに至って使用された。振幅閾値は、（０〜１６３８２の規模で）７０〜１００の範囲内に設定されている。
【００５３】
天井の高さが２．５ｍのオフィス環境内にシステムを取り付けた。センサの視野は、地上で約２．０ｍ×１．６ｍである。図５Ａは、オフィス環境の画像例で、図５Ｂは、対応する飛行時間画像であり、この飛行時間画像は、センサからシーン内の各地点までの測定距離を示している。
【００５４】
より大きな環境内の飛行時間画像を調査するために、デンマークコペンハーゲンのユニティ・テクノロジーズ社によって開発されたUnityゲームエンジンを使用して、三次元（３Ｄ）の１８×１４ｍ2のシミュレートされた実験空間を生成した。天井に規則的に配置され、地点に至るまでの距離を返すシミュレートされたセンサから光線を下方に投影することによって、距離画像を生成する。これらの画像は、実際のＴｏＦセンサから出力された画像と同様の方法で本明細書に記載されるアルゴリズムによって処理される。
【００５５】
また、実際の環境とシミュレートされた環境との両方で、複数の人間と複数の家具とを含むいくつかのビデオを記録して、アルゴリズムを設計及び試験した。最も複雑な実際のビデオは、異なる時点でシーンに入場し、オフィスチェアを導入及び移動し、近接して一緒に着座し、及び異なる時点で退場する４人を含んでいる。シミュレートされた環境は、実験室に入場し、歩き回り、着座し、起立し、互いに近接して直立し、会議テーブルの周囲且つ実験ベンチの前に集まり、及び部屋を退場する最大で３０人を含む。
【００５６】
実験では、距離測定値から、人間のリアルタイム検出、彼らの位置の追跡、及び彼らのポーズ（即ち、直立又は着座）の推定を観察した。形態的画像処理アルゴリズムは、どのように物体が移動して相互作用し得るかについてのより高い論理と組み合わせられている。シーンに入る各人間は、画像の境界で検出されて一意のラベルが付与される。その後、各人間のブロブは、フレームを去るまで、後続の画像全体に亘って追跡される。各人間のブロブの場所と高さとは、各フレーム内において測定され、その粗いポーズは、高さ情報から推定される。
【００５７】
リアルタイム高度マップは、天井の既知の高さからリアルタイム距離画像を減算することによって得られる。また、Ｂ（ｘ，ｙ）で示され、人間又は移動可能な家具を含まない背景高度マップの存在も想定され、システム較正中に、この背景高度マップを取得することができる。現在の高度マップＥt（ｘ，ｙ）から、次式のように、背景減算と閾値とを使用して、シーン内の前景物体の高度マップＦt（ｘ，ｙ）が得られる。
【００５８】
【数１】
2018018829.tif 000003
【００５９】
ここで、τは、閾値を示している。閾値τは、１０ｃｍに設定されており、これは、（地面に横たわっている場合でも）人間の高さを下回っている。図６は、図５Ａに示される実際の環境における前景物体の高度マップ例を示している。
【００６０】
背景減算の後、前景マップを閾値処理することによって、シーン内において人間を検出すればよい。全ての人間が歩いてシーンに入る仮定で、閾値は、０．９ｍの高さで前景画像に適用され、この高さを上回る全ての連結領域（又は、「ブロブ」）を人間として分類する。現在のフレーム内の全ての人間ブロブを、以前のフレーム内の人間ブロブと比較して、最も近い空間的一致を見つける。ブロブの高さは、ブロブの重み付き重心での標高値となるように、割り当てられている。フレームｔ内のこの高さの観測値は、ｙtとして示される。メジアンフィルタをｙtに適用して、後続の処理に先立って、インパルスセンサノイズを軽減する。
【００６１】
確率モデルは、ノイズ及び不確定性を取り扱うのに適しているので、行動認識のために広く使用されている。現在の高さの観測値と、状態間の遷移確率のための単純なマルコフモデルとの両方を考慮した最大尤度推定器を使用して、「直立」又は「着座」のラベルを各人間ブロブに割り当てる。即ち、ラベルは、次式のように計算される。
【００６２】
【数２】
2018018829.tif 000004
【００６３】
ここで、ｌt∈｛”ｓｔａｎｄ”，”ｓｉｔ”｝である。第１の項は、提案されたラベルが付与された観測高の尤度を示している。「ｓｔａｎｄ」の場合、これは、最初の登場での人間の観測高に等しい平均を有するガウス分布としてモデル化される。「ｓｉｔ」の分布も同様であるが、ガウスの平均は、人間の座高比の測定データに基づいて、入場口の半分である。「ｓｉｔ」及び「ｓｔａｎｄ」の標準偏差は、０．１及び０．２であり、これらは、トレーニングデータセットから獲得される。第２の項は、遷移確率を示し、これは、ラベルを変更するために高さの観測において有力な証拠が必要とされるように、ラベルが同一の状態のままであることを促している。遷移確率行列は、次式のようになる。
【００６４】
【数３】
2018018829.tif 000005
【００６５】
これは、トレーニングデータセットから獲得される。これによって、ポーズ推定は、測定においてノイズに対してより強固となる。パラメータλを調整して、以前の情報の測定情報を交換してもよい。実際には、λに１が設定される。上述の図４は、物体を追跡してそのポーズを推定するための方法を図示している。
【００６６】
低解像度と、高度マップから抽出可能な限定された特徴とに起因して、人間と複数の家具（例えば、移動するオフィスチェア）とは、確実に分割して区別するのが困難で、高度マップ内でまとめて一つのブロブとされる可能性がある。従って、このやり方における課題は、複数の人間が近接しているときに生じるブロブを分けることと、人間には反応するが移動する家具には反応しないセンサを設計すること（例えば、椅子の背もたれは、多くの場合、着座した人間の頭部と匹敵する高さになっている）とであろう。
【００６７】
接触している物体を分けるための例示的なやり方は、高度マップを処理して、主ピークの周囲に一定の強度を有する台地を生成することである。これは、形態再建と呼ばれている。手順は、１）原画像をマスク画像として使用し、２）原画像を変化させてマーカ画像を生成し、且つ、３）マスク画像の下に収まるまでマーカ画像を繰り返し拡張する。
【００６８】
図７Ａ〜図７Ｅは、いくつかのフルスケールフレームについて、検出物体を含む高度マップ例である。複数の移動するオフィスチェアの存在にも拘わらず、正確な数の人間が維持されている。
【００６９】
次に、広く離隔した単一画素のＴｏＦ要素をシミュレートするために、フル解像度ビデオを（最近傍サンプリングを使用して）異なる間隔でダウンサンプリングして、低密度のビデオストリームを生成する。本明細書に記載されている（且つ、図４に示されている）例示的なアルゴリズムは、ダウンサンプリングされた各ストリームに適用される。図８Ａ〜図８Ｄは、いくつかのセンサ間隔についての図７Ｃと同一のフレームの追跡結果を示している。具体的に、図８Ａは、０．０３ｍのセンサの間隔に関し、図８Ｂは、０．０６ｍのセンサの間隔に関し、図８Ｃは、０．０９ｍのセンサの間隔に関し、且つ、図８Ｄは、０．１ｍのセンサの間隔に関する。ダウンサンプリングされたフレームは、非常に小さいので、アルゴリズムを非常に高速、且つ入力ビデオと略同一レートで実行することができる。
【００７０】
しかしながら、シミュレートされた低密度が幅広いセンサ間隔まで増大するにつれて、極大値抽出アルゴリズムは、測定における、限定された画素数と滑らかさの欠如とに起因して、機能しなくなり始める。このような状況（例えば、２５ｃｍのセンサ間隔）において、複数の人間をブロブ内で分けるのではなくアルゴリズムは、いずれの人々が複数人間ブロブ内で組み合わせられているのかを、分離されるまで追跡し続ける。これは、各人間ブロブの識別を維持することが重要ではないので、照明制御アプリケーションに適している。
【００７１】
実験のために、以下の六つのデータセットが収集された。
１）実際のビデオ、３７９０フレーム、１人〜２人（トレーニングのためにのみ使用される）
２）実際のビデオ、１０５０フレーム、１人〜３人（試験のためにのみ使用される）
３）実際のビデオ、１５０００フレーム、１人〜４人（試験）
４）シミュレートされたビデオ、３０００フレーム、６人（トレーニング）
５）シミュレートされたビデオ、２７００フレーム、６人（試験）、及び
６）六つのシミュレートされたビデオ、各６０００フレーム、５人、１０人、１５人、２０人、２５人、及び３０人（試験）
【００７２】
［実際のビデオの実験］
データセット２及び３に基づいて、極大値抽出及び追跡アルゴリズムを試験した。第１ビデオは、異なる時点でシーンに入場し、歩き回り、近接して一緒にチェアに着座し、起立し、及び退場する３人を記録した。図７Ａ〜図７Ｅは、このビデオでの追跡の一例を示している。
【００７３】
異なるセンサ密度での性能を分析するために、図８Ａ〜図８Ｄに図示されるように、入力ビデオを空間的にダウンサンプリングして、１ｃｍから１０ｃｍまでのセンサ間隔を１ｃｍの刻みでシミュレートした。各間隔レベルで、検出及び推定ポーズが記録されている。図９Ａは、センサ間隔の関数としての検出及びポーズ推定の誤り率のグラフである。誤り率は、誤検出／見逃された人間の数（又は、誤分類されたポーズの数）を、全てのフレームにおける人間の出現の合計数で除算したものとして計算される。図９Ｂは、センサ間隔の関数としての場所及び高さ測定値における平均誤差のグラフである。
【００７４】
図９Ａ及び図９Ｂから、８ｃｍまでの全ての間隔レベルで、３人全てが検出及び追跡されていることがわかる。フレームが８ｃｍ間隔にダウンサンプリングされた場合には、極大値抽出が不安定になる。物体は、容易に見逃され、又は互いに同化されている。
【００７５】
同一のオフィス環境を１５０００フレームに亘って継続的に監視する、より長期間の実験（データセット３）を行った。この期間中、グランドトルースのフルフレームビデオを使用して、各人間の入場／退場及びポーズの変化を手動で記録した。表１には、その結果が要約されている。
【００７６】
【表１】
2018018829.tif 000006
【００７７】
また、８ｃｍの大きなセンサ間隔で、データセット３内の長いビデオを使用して、フレーム内の人間の数に関して性能を分析した。表２には、その結果が示されている。
【００７８】
【表２】
2018018829.tif 000007
【００７９】
［環境シミュレーションの実験］
追跡アルゴリズムのプライバシ保持機能を試験するために、実験室に入場し、歩き回り、着座し、起立し、互いに近接して直立し、会議テーブルの周囲且つ実験ベンチの前に集まり、且つ、部屋を退場する６人を参加させる、２７００フレームを含むビデオ（データセット５）を記録した。
【００８０】
実際のビデオの実験と同様に、１０ｃｍから４０ｃｍまで５ｃｍ刻みで、サンプル間隔を徐々に増大させた。図１０Ａは、センサ間隔の関数としての人間検出及びポーズ分類における誤り率のグラフである。図１０Ｂは、センサ間隔の関数としての場所及び高さ推定における平均誤差のグラフである。表３は、３０ｃｍの間隔レベルでの退場、着座、及び起立イベントに関する検出値及び誤警報を報告する。
【００８１】
【表３】
2018018829.tif 000008
【００８２】
表２と同様に、シミュレートされたビデオの性能を人数の関数として測定した。この場合には、５人から３０人までの（データセット６）より多くの人々を環境に投入することができる。表４には、２０ｃｍの広いセンサ間隔での結果が要約されている。
【００８３】
【表４】
2018018829.tif 000009
【００８４】
本明細書においては、本発明の好適な実施形態について図示及び説明したが、これらの実施形態は、一例として提供されるものに過ぎないことを理解されたい。本発明の精神を逸脱することなく、多くの変形、変更、及び置換が当業者には明らかとなろう。従って、添付の請求項は、本発明の精神及び範囲に含まれるこれら全ての変形を含むものと解釈されたい。
【図１】
2018018829.tif 000010
【図２】
2018018829.tif 000011
【図３】
2018018829.tif 000012
【図４】
2018018829.tif 000013
【図５Ａ】
2018018829.tif 000014
【図５Ｂ】
2018018829.tif 000015
【図６】
2018018829.tif 000016
【図７Ａ】
2018018829.tif 000017
【図７Ｂ】
2018018829.tif 000018
【図７Ｃ】
2018018829.tif 000019
【図７Ｄ】
2018018829.tif 000020
【図７Ｅ】
2018018829.tif 000021
【図８Ａ】
2018018829.tif 000022
【図８Ｂ】
2018018829.tif 000023
【図８Ｃ】
2018018829.tif 000024
【図８Ｄ】
2018018829.tif 000025
【図９Ａ】
2018018829.tif 000026
【図９Ｂ】
2018018829.tif 000027
【図１０Ａ】
2018018829.tif 000028
【図１０Ｂ】
2018018829.tif 000029
【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
照明システムであって、
照明のために空間内に配置された発光ダイオード（ＬＥＤ）光源のアレイであって、各光源が、所定の変調パターンでエンコードされた光を前記空間内に放射するように構成され、前記ＬＥＤ光源のアレイから放射された光が、前記空間内の少なくとも一つの物体によって散乱される、ＬＥＤ光源のアレイと、
前記ＬＥＤ光源のアレイに近接し、かつ前記空間内の前記少なくとも一つの物体から散乱された光を受光するように構成されたセンサのアレイであって、各センサが、受光した散乱光中の前記所定の変調パターンの検出に基づいて、対応する光源と前記少なくとも一つの物体との間の距離を求めるように構成された、センサのアレイと、
各センサから前記距離を受信し、かつ前記空間の高度マップを生成するように構成された空間特性評価ユニットであって、前記高度マップが、前記空間内の前記少なくとも一つの物体の存在を示す、空間特性評価ユニットと、
を有し、
各光源は、異なる波長の前記光を放射するように構成された複数の光源を含み、前記センサのうちの少なくとも一つは、前記異なる波長のそれぞれについての前記距離を求めるように構成され、前記高度マップは、前記異なる波長と関連するカラーマップを含み、
互いに離れて設置された少なくとも二つの光源は同一の変調パターンによって変調されるとともに、前記少なくとも二つの光源の一つの近くに設置された少なくとも一つの光源は異なる変調パターンによって変調される、
照明システム。
【請求項２】
各光源は、スポットライト、フラッドライト、又はパネルライトのうちの少なくとも一つを含む、請求項１に記載の照明システム。
【請求項３】
各光源は、単色光源を含む、請求項１に記載の照明システム。
【請求項４】
前記空間特性評価ユニットは、前記高度マップに基づいて、前記少なくとも一つの物体の少なくとも一つの特性を検出して、前記照明システムによる照明を制御するように構成されている、請求項１に記載の照明システム。
【請求項５】
前記空間特性評価ユニットは、前記高度マップに基づいて、前記少なくとも一つの物体の場所、前記少なくとも一つの物体のポーズ、又は前記少なくとも一つの物体の動作のうちの少なくとも一つを求めるように構成されている、請求項１に記載の照明システム。
【請求項６】
前記空間特性評価ユニットは、前記高度マップに基づいて、前記少なくとも一つの物体が有生物又は無生物のいずれであるかを求めるように構成されている、請求項１に記載の照明システム。
【請求項７】
各センサは、前記検出された所定の変調パターンに基づいて、前記センサによって受光される前記放射光の飛行時間を求めるように構成され、前記距離は、前記飛行時間から求められる、請求項１に記載の照明システム。
【請求項８】
各光源は、前記所定の変調パターンで独立して変調されるように構成されている、請求項１に記載の照明システム。
【請求項９】
複数の前記光源は、前記所定の変調パターンで同期して変調されるように構成されている、請求項１に記載の照明システム。
【請求項１０】
照明のために空間を特性評価するための方法であって、
照明のために前記空間内に配置された発光ダイオード（ＬＥＤ）光源のアレイによって光を放射し、放射された光が少なくとも一つの所定の変調パターンでエンコードされ、かつ前記空間内の少なくとも一つの物体によって散乱され、
前記ＬＥＤ光源のアレイに近接するセンサのアレイによって、前記空間内の前記少なくとも一つの物体から散乱された光を受光し、
各センサによって、受光した散乱光中の前記少なくとも一つの所定の変調パターンの検出に基づいて、前記対応する光源と前記少なくとも一つの物体との間の距離を測定し、
各センサによって測定された前記距離に基づいて、前記空間内の前記少なくとも一つの物体の存在を示す前記空間の高度マップを生成し、前記照明のための空間が前記高度マップに基づいて特性評価される、
ことを有し、
各光源は、異なる波長の前記光を放射するように構成された複数の光源を含み、前記センサのうちの少なくとも一つは、前記異なる波長のそれぞれについての前記距離を求めるように構成され、前記高度マップは、前記異なる波長と関連するカラーマップを含み、
互いに離れて設置された少なくとも二つの光源は同一の変調パターンによって変調されるとともに、前記少なくとも二つの光源の一つの近くに設置された少なくとも一つの光源は異なる変調パターンによって変調される、
方法。
【請求項１１】
前記高度マップに基づいて、前記少なくとも一つの物体の少なくとも一つの特性を検出して、前記ＬＥＤ光源のアレイによる照明を制御する、
ことを更に有する、請求項１０に記載の方法。
【請求項１２】
前記高度マップに基づいて、前記少なくとも一つの物体の場所、前記少なくとも一つの物体のポーズ、又は前記少なくとも一つの物体の動作のうちの少なくとも一つを求める、
ことを更に有する、請求項１０に記載の方法。
【請求項１３】
前記高度マップに基づいて、前記少なくとも一つの物体が有生物又は無生物のいずれであるかを求める、
ことを更に有する、請求項１０に記載の方法。
【請求項１４】
前記距離の測定は、前記検出された少なくとも一つの所定の変調パターンに基づいて、前記個々のセンサによって受光される放射光の飛行時間を求め、前記飛行時間から前記距離を求める、
ことを含む、請求項１０に記載の方法。